(57)【要約】  【課題】  キーワ−ドで文書の検索条件を生成するのに同意異表示語の指定不足、類似語の指定不足の他、熟語の間に助詞等が入った種々の検索の語句や表現のバリエーション等を含む類似語を共通登録キーワードとして扱い、検索精度を上げるともに検索条件を減らし、かつ検索に費やす時間を短縮することを目的とする。  【解決手段】  文献登録にあたり登録する文献中の類義語等を共通登録キーワードに変換して書き換えるためのキーワード変換表を備え、検索部は検索文字列を共通登録キーワードに変換してから複数の文献データを対象に検索を行う。更に、文献中の登録したい一つの言葉を、分類コードを含む階層の異なる共通キーワード群に置き換えることにより、本文中の置き換えられた共通登録キーワードとその前後の語句の連結文字列を検索する。【選択図】      図２
2007200352.tif 000002
【特許請求の範囲】
【請求項１】
文献データベースから指定したキーワードを持つ文献を検索する検索制御部を備えた情報検索システムにおいて、
文献毎に表現が異なって記述されている類似語が上位レベルの共通登録キーワードに対応づけられ、かつ下位レベルの共通登録キーワードと該下位レベルの共通登録キーワードをグループ化した上位レベルの共通登録キーワードとが対応づけて登録された複数レベルの階層構造を有するキーワード変換表、
および、この登録キーワード変換表に従って文献中の上記類似語を複数の共通登録キーワードに置換えて上記文献データへ各文献を登録する機能を具備した変換制御部を、  
備えた事を特徴とする情報検索システム。
【請求項２】
上記階層構造を有する登録キーワード変換表の共通登録キーワードの少なくとも一つのレベルは、上記共通登録キーワードの分類コードが登録されるものであることを特徴とする請求項１記載の情報検索システム。
【請求項３】
上記検索制御部は文献中の上記共通登録キーワードを含む語句を検索することを特徴とする請求項１ないし請求項２記載の情報検索システム。
【請求項４】
上記検索制御部は文献データの検索時に上記登録キーワード変換表を表示装置に表示し、指定すべき検索対象キーワードを選択可能とした請求項１ないし請求項３記載の情報検索システム。
【請求項５】
上記文献データベースに上記登録キーワード変換表を格納したことを特徴とする請求項１、請求項３、請求項４記載の情報検索システム。
【請求項６】
上記変換制御部は上記登録キーワード変換表を参照し共通登録キーワードを更新するとともに、
変更された共通登録キーワードに基づいて上記文献データベース中の各文献中の共通登録キーワードを更新することを特徴とする請求項１ないし請求項５記載の情報検索システム。
【請求項７】
文献データベースから指定したキーワードを持つ文献を検索する機能をコンピュータに行わせるコンピュータ読み込み可能な記憶媒体において、
コンピュータを、
文献データベースから指定したキーワードを持つ文献を検索する検索制御部と、
文献毎に表現が異なって記述されている類似語が上位レベルの共通登録キーワードに対応づけられ、かつ下位レベルの共通登録キーワードと該下位レベルの共通登録キーワードをグループ化した上位レベルの共通登録キーワードとが対応づけて登録された階層構造を有するキーワード変換表記録部と、
この登録キーワード変換表に従って文献中の上記類似語を複数の共通登録キーワードに置換する機能を実行する変換制御部と
して機能させるプログラムを記録したことを特徴とする機械読み取り可能な記憶媒体。
【発明の詳細な説明】
【技術分野】
【０００１】
本発明は情報検索システムに係わり、特にキーワードを用いて情報処理分野の文献データべースから文献を検索する情報検索システムに関する。
【０００２】
文献データベースより、情報を検索する情報検索システムでは、目的とする文献データを漏れなく、かつ短時間で検索することが要求される。
【背景技術】
【０００３】
文献データベースの検索では、文献データの登録時に、登録する文献データに固定キーワードを付与して情報検索システムに登録しておき、検索時にはその固定キーワードを指定して検索を行う。
【０００４】
図９は、従来の情報検索システムの一例を示す図である。この図９によれば、文献Ｘ１の登録時のキーワードがｘ１で文献Ｘ２の登録時のキーワードがｘ２であり、ｘ１とｘ２は類似語であった場合を考える。最初に、端末１３１から検索条件として単一のキーワードｘ１を指定した場合、検索制御部３７で類似語表３８を参照し、ｘ１の類似語ｘ２を導きだす。端末１３１から指定されたｘ１と導き出したｘ２が検索条件となる。
【０００５】
次に検索制御部３７は、文献データベース８３から検索条件ｘ１、またはｘ２を有する文献を検索するが、検索条件の数だけ文献タベース８３の検索キー部７３を探す必要がある。この例では、検索条件が２つあるため、文献データベース８３の検索キー部７３を２回探すことになる。
【０００６】
キー検索の場合は上記の処理で済むが、文献データベース８３に登録されている多数の文献データから類似語の多いキーワードを持つ文献を検索する時は、すべての文献データを検索条件の数（類似語の数）だけ探すことになり、検索に膨大な時間が必要になる。
【発明の開示】
【発明が解決しようとする課題】
【０００７】
従来の方法では、各種検索項目よりなる検索条件が増えれば増える程、検索時間が長くなる。特に日本語の場合、同意異表示な言葉（インターフェース，インターフェイス等の翻訳化の相違や送り仮名相違など）や、類似語（例、計算機，パソコン，コンピュータなど）を個別に全て網羅し検索用語として指定するので、検索条件が増え、検索時間が長くなってしまい、検索する人が苦労していた。
また、検索条件を生成するのに上記の同意異表示語の指定不足、類似語の指定不足の他、熟語の間に助詞等が入ったために同じとされず検索されない等、必ずしも必要な検索ができない問題があった。
【０００８】
本発明では、このような点に鑑みてなされたものであり、以上の種々の検索の語句や表現のバリエーション等を含む類似語を共通登録キーワードとして扱い、検索精度を上げるともに検索条件を減らし、かつ検索に費やす時間を短縮することを目的とする。
【課題を解決するための手段】
【０００９】
図１は上記目的を達成する本発明の原理図である。
【００１０】
計算機１０１は、文献登録にあたり登録する文献中の類義語を共通登録キーワードに変換するための登録キーワード変換表１１、文献データベース８１のアクセスおよびキーワードの変換処理を行う変換制御部２１、文献データの登録処理を行う登録制御部３１、文献データベース８１から文献データの抽出処理を行う復元制御部２５、文献データの検索処理を行う検索制御部３５から構成される。
【００１１】
文献データベース８１は、文献データを登録する登録データ部５１、文献データ中の登録すべき登録キーワード（以下登録キーワードと呼ぶ）や、それらの登録キーワードを類義語として含む共通登録キーワードを記憶する登録キーワード部７１および登録キーワードを共通登録キーワードに変換したときの情報で検索や復元に利用する変換情報部６１から構成される。ただしこの変換情報部６１は登録キーワード変換表に含める構成であってもよい。
【００１２】
図１構成によれば、文献データの登録時に、変換制御部２１が登録キーワード変換表１１を用い、指定された文献データ中の共通登録キーワードに対応する類似語は共通登録キーワードに置き換えられ登録データ部５１に格納される。登録キーワード部７１、および変換情報部６１も共に文献データベース８１に格納され管理される。この時、文献毎の識別や変換情報の処理は別に行う。
【００１３】
文献データの検索時に指定された検索キーワードは、変換制御部２１で登録キーワード変換表１１を用いて共通登録キーワードに変換され、文献データベース８１の文献データ部５１から検索キーワードに一致する文献データ中を検索される。
【００１４】
検索結果の文献データを出力する時は、指定された文献データ名などから文献データベース８１中の該当する文献データを特定し、文献データに対応する変換情報部６１が管理している各文献データに関する情報から変換された共通登録データを元の類似語に戻し登録時の文献データに復元する。
【００１５】
また、利用者に登録キーワード変換表１１で管理されている登録キーワードを表示したり、指定した検索キーワードに対し実際に検索で利用される共通登録キーワードを表示する機能も装備する。
【００１６】
登録キーワード変換表１１には共通登録キーワードに対して、単に類似語ばかりか同音異表示語，送り仮名表記の違うキーワード，熟語間に助詞を持つキーワード等を登録することにより、検索時に１つの検索キーワードで多数の文献を一命令で検索できる。共通キーワードに対して多くの類似語等を登録することにより一命令でと広範囲な類似語を持つ文献群を検索でき、かつ検索時間の短縮を図ることができる。
【発明の効果】
【００１７】
本発明では、登録キーワード変換表には共通登録キーワードに対して、単に類似語ばかりか同音異表示語，送り仮名表記の違うキーワード，熟語間に助詞を持つキーワード等を登録することにより、検索時に１つの検索キーワードで多数の文献を一命令で検索できる。共通キーワードに対して多くの類似語等を登録することにより一命令で広範囲な類似語を持つ文献群の検索と検索時間の短縮とを図ることができた。
【００１８】
また本発明では、キーワードのレベルによるグループ化を導入することにより、複数の登録キーワードを１つの共通登録キーワードに置き換えることができる。これによっても検索条件の設定の煩雑さを削減出来ると共に検索時間を短縮させることができた。
【００１９】
更にまた本発明では、複数の登録キーワードを複数個文献中に埋め込む事により異なるレベルの共通登録キーワードでも特別の操作を必要とせず検索が可能となった。文献中に登録キーワードを埋め込んだことにより、登録キーワードの含む語句の検索や更には語句の現れる順番を規定して検索することも可能になった。
【発明を実施するための最良の形態】
【００２０】
本発明の概略について図面を参照して説明する。
【００２１】
図２は、本発明の情報検索システムの具体的な構成例を示す図である。この図において、端末１２１は、計算機１０２にローカル端末として接続し、端末１２２は、ネットワーク１４２を経由して計算機１０２にリモート端末として接続される。また、計算機１０２にプリンタ１２３、記憶装置１２４が接続される。
【００２２】
計算機１０２は、文献登録に類似語などを共通登録キーワードに変換するための登録キーワード変換表１２、文献データベース８２のアクセスおよび変換情報を管理する変換制御部２２、変換された文献データの登録処理を行う登録制御部３２、文献データベース８２から文献データの出力処理を行う復元制御部２６、文献データの検索処理を行う検索制御部３６、端末１２１、１２２からの要求を受け付ける利用者制御部４２、端末１２１、１２２との通信を制御する通信制御部４３から構成される。ただし復元制御部２６は変換制御部２２の中に含める構成としてもよい。
【００２３】
文献データベース８２は、文献データを記憶する登録データ部５２、文献データ登録時に文献中の登録すべきキーワード（以下登録キーワードと呼ぶ）とそれらの登録キーワードを類義語としてまとめた共通登録キーワードとを登録する登録キーワード部７２および登録時の共通登録キーワードに変換した時の情報を管理する変換情報部６２から構成される。
【００２４】
上記構成によれば、文献データの登録時は、端末１２１、１２２から指定された文献データおよび登録キーワードは、変換制御部２２が登録キーワード変換表１２を用いて、共通の登録キーワードに置き換えられ、文献データベース８２に格納される。
【００２５】
文献データの検索時は、端末１２１、１２２から指定された検索キーワードは、変換制御部２２で共通登録キーワードに変換され、文献データベース８２の文献データ部５２を検索し、一致する文献データを検索する。
【００２６】
変換情報６２は特にグループ化した共通登録ギーワードに別の共通登録キーワードを与え階層化し、それらの階層化された複数の共通登録キーワードを文献中の類似語等に変換した場合の文献の復元や、文献中の検索しようとする類似語の前後の言葉を含んだ句を検索キーワードとして指定された場合の検索に有用である。ただし構成的には登録キーワード変換表の補助的情報であり、登録キーワード変換表に含めても良い。
【００２７】
文献データの出力時は、検索した文献データに対応する変換情報部６２で管理されている情報で共通キーワードを文献毎の類似語等に戻して文献データを復元することにより、登録時の文献データを端末１２１、１２２、プリンタ１２３、記憶装置１２４に出力することができる。
【００２８】
同意異表示語，類似語，送り仮名の異なる類語，単語間に助詞を持つ類語等も共通登録キーワードに変換できるので，検索時には一つの共通登録キーワードで多数の文献を対象とし一度の検索命令で完結するため、検索条件の不足が回避され、かつ検索時間の短縮を図ることができた。
【００２９】
図３は、本発明の登録キーワード変換表の一例を示す図である。図３の（Ａ）に示した登録キーワード変換表は、ｎ個の階層化されたレベルを有する登録キーワードを持つ例である。この例ではレベル１が個々の文献中で使われているキーワードそのものである登録キーワードであり、レベル２以降は共通登録キーワードを示している。
【００３０】
キーワードに階層的なレベルの概念を導入することにより、登録キーワードのグループ化された共通登録キーワードを更にグループ化した分類コードを高いレベルの共通登録キーワードとすることも出来る。レベルが上がれば、登録キーワードがよりグループ化されるため、検索条件が多く指定されたと同じ効果が上がり、かつ検索時間の短縮を図れるが、検索される文献データ数は増える。レベル１で登録して検索する場合は、従来と同様の検索が必要となる。
【００３１】
レベルは必ずしも典型的なトリー構造である必要はなく、複雑に絡み合った語句のネット関係がある中から、目的とする切断面で眺めたグループ階層を決定して、その部分的階層の一部であってもよい。
【００３２】
図４は、本発明の変換情報の一例を示す図である。図４の（Ａ）に示した変換情報は、全レベルの変換情報を管理している。 図４の（Ｂ）に示した変換情報は、検索情報と復元情報などを管理しており、レベル２の変換情報をあらわしており、図４の（Ａ）からリンクされる。
【００３３】
検索情報では、キーワード変換表で変換した登録キーワードと登録キーワードの長さが管理され、復元情報では、登録キーワードを復元する必要があるか否か、復元時の復元キーワード、復元キーワードの長さおよび文献データ中の復元位置などを管理する。
【００３４】
以上 図４で示した変換情報は構成を明確にするために本実施例では 図３に示した登録キーワード変換表と別に構成したが、 図３の登録キーワード変換表中に本来含まれるべき情報である。
【００３５】
以上に示した登録キーワードは必ずしも同意異表示語，類似語，送り仮名の異なる語、等の単語である必要はなく文の句や節であってもよい。また、キーワードのレベルによってはキーワードを更に抽象化したキーワードの属する分類コードとする事も出来き、登録キーワードを分類コードとすれば文献を分類する分野毎に登録キーワードがグループ化され検索の負担をさらに軽減することが可能である。
【００３６】
図５は、本発明の登録処理手順を示すフローチャートである。このフローチャートの説明において、Ｓに続く番号はステップ番号を示す。
【００３７】
［Ｓ１］利用者は、入力装置（端末など）から登録指示を行う。これにより、利用者制御部は登録制御部を呼び出す。
【００３８】
［Ｓ２］登録制御部は、入力装置（端末など）から登録する文献データ，献データを格納するファイル，および登録キーワードを受け取る。
【００３９】
［Ｓ３］登録終了指示であれば、登録処理を終了する。それ以外は、ステップＳ４へ進む。
【００４０】
［Ｓ４］登録キーワードが入力されたらステップ６へ進み、それ以外は、ステップＳ５へ進む。
【００４１】
［Ｓ５］変換制御部は登録制御部から呼び出され、登録キーワード変換表に登録されている全キーワードについて、変換候補を出力装置（端末など）に出力し、利用者に登録キーワードや変換レベルを決定させるため、ステップ２へ進む。
【００４２】
［Ｓ６］変換制御部は登録制御部から呼び出され、登録キーワード変換表を用いて登録キーワードの変換候補を出力装置（端末など）に出力し、利用者に登録キーワードや変換レベルを決定させる。この時一つの用語等に対してレベルの異なる複数の共通登録キーワードを文献中に埋め込み、どのレベルの登録キーワードでも検索可能としても良い。
【００４３】
〔Ｓ７〕登録指示で指定された変換範囲をチェックする。
【００４４】
〔Ｓ８］登録キーワードの変換のみの指定であればステップＳ１３へ進み、それ以外はの指定であれば登録キーワードと文献データも変換するためステップＳ９へ進む。
【００４５】
［Ｓ９］文献データ中に登録キーワードが存在するか検索し、存在すれば場合には登録キーワード変換表を用いて共通登録キーワードに変換し、変換情報を作成する。
【００４６】
〔Ｓ１０］登録指示で指定された変換範囲をチェックする。文献データを書き換えない場合はステップＳ１２へ進み、文献データを書き換える場合はステップＳ１１へ進む。
【００４７】
［Ｓ１１］文献データ中の登録キーワードを登録キーワード変換表の共通登録キーワードに置き換える。
【００４８】
［Ｓ１２］文献データベースに共通登録キーワードに変換された文献データおよび変換情報を格納する。
【００４９】
［Ｓ１３］文献データベースに登録キーワード変換表を格納する。
【００５０】
図６は、本発明の検索処理手順を示すフローチャートである。このフローチャートの説明において、Ｓに続く番号はステップ番号を示す。
【００５１】
［Ｓ１０１］利用者は、入力装置（端末など）から検索指示を行う。これにより、利用者制御部は検索制御部を呼び出す。
【００５２】
［Ｓ１０２］検索制御部は、入力装置（端末など）から検索するためのキーワード（検索キーワード）を受け取る。
【００５３】
［Ｓ１０３］検索終了指示であれば、検索処理を終了する。それ以外は、ステップＳ１０４へ進む。
【００５４】
［Ｓ１０４］検索キーワードが入力されたらステップ１０６へ進み、それ以外は、ステップＳ１０５へ進む。
【００５５】
［Ｓ１０５］変換制御部が登録制御部から呼び出され、登録キーワード変換表に登録されている全キーワードを出力装置（端末など）に出力し、利用者に検索キーワードや検索レベルを決定させるため、ステップ１０２へ進む。
【００５６】
［Ｓ１０６］変換制御部は検索制御部から呼び出され、登録キーワード変換表を用いて検索キーワードの変換候補を出力装置（端末など）に出力し、利用者に検索キーワード（＝登録キーワード）や，単なる語句や，検索キーワードを含む語句，検索レベル（＝登録レベル）等を決定させる。
【００５７】
［Ｓ１０７］検索指示で指定された検索範囲をチェックする。
【００５８】
［Ｓ１０８］登録キーワードによる検索（キーワード検索）であればステップＳ１０９へ進み、文献データ中の検索（全文検索）であればステップＳ１１０へ進む。
【００５９】
［Ｓ１０９］文献データベースに検索キーワードと一致する登録キーワードがあるか検索し、ステップＳ１１１へ進む。
【００６０】
［Ｓ１１０］文献データベースの変換情報に検索キーワードと一致するものがあるか検索し、ステップ１１１へ進む。
【００６１】
文献中に共通登録キーワードを埋め込んでいる場合でその共通登録キーワードを含む語句を指定された場合を以下に説明する。  共通キーワードが埋め込まれている前後の言葉とその共通登録キーワードを含んだ語句を指定されても容易に検索することができる。例えば各文献中の語句が「パソコン」や「コンピュータ」であって、それらの共通登録キーワードが「計算機」であるとする。元の文献中で書かれた「パソコンを乗せる」と書かれた文献も「コンピュータを乗せる」と書かれた文献も、「計算機を乗せる」と書かれた文献も、「計算機を乗せる」という共通登録キーワードを含む検索語句を指定するだけで、皆検索することが出来る。
【００６２】
文献中に複数の検索キーワードを埋め込んでいる場合でも、各検索キーワードとその前後の語句との連結語を検索する手法は容易に達成できる。
【００６３】
更に、文献中に登録キーワードを埋め込んだので、登録キーワードの含む語句の検索ばかりか語句の現れる順番を規定して検索することも可能である。
【００６４】
［Ｓ１１１］検索キーワードと一致するものがない場合はステップ１０２へ進み、一致するものがある場合はステップＳ１１２へ進む。
【００６５】
［Ｓ１１２］文献データ名または文献データの内容を出力装置（端末、プリンタ、記憶装置など）へ出力する。ただし、文献データが登録キーワードに置き換えられている場合には、変換情報をもとに復元キーワードで書き換え（登録時の文献データに復元）てから出力し、ステップＳ１１２へ進む。
【００６６】
図７は、本発明の文献の復元処理手順を示すフローチャートである。このフローチャートの説明において、Ｓに続く番号はステップ番号を示す。
【００６７】
［Ｓ２０１］利用者は、入力装置（端末など）から検索指示を行う。これにより、利用者制御部は復元制御部を呼び出す。
【００６８】
［Ｓ２０２］復元制御部は、端末から復元する文献データ名を受け取り、文献データの変換情報をチェックする。
【００６９】
［Ｓ２０３］復元終了指示であれば、抽出処理を終了する。それ以外は、ステップＳ２０４へ進む。
【００７０】
［Ｓ２０４］検索キーワードが入力されたらステップ２０６へ進み、それ以外は、ステップＳ２０５へ進む。
【００７１】
［Ｓ２０５］エラーメッセージを出力して、ステップ２０２へ進む。
【００７２】
［Ｓ２０６］文献データベースに登録されている文献データの変換情報をチェックする。
【００７３】
［Ｓ２０７］文献データは原文（登録依頼時の文献データのまま）ならステップＳ２０８ヘ進み、文献データの復元が必要ならステップＳ２０９へ進む。
【００７４】
［Ｓ２０８］文献データベースに登録されている文献データを、そのまま出力装置（端末、プリンタ、記憶装置など）に出力し、ステップＳ２０２へ進む。
【００７５】
［Ｓ２０９］文献データベースに登録されている文献データを、変換情報をもとに登録時の文献データに復元する。
【００７６】
［Ｓ２１０］復元した文献データを出力装置（端末、プリンタ、記憶装置など）に出力し、ステップＳ２０２へ進む。
【００７７】
図８は、本発明の登録キーワード変換表の参照及び更新処理手順を示すフローチャートである。このフローチャートの説明において、Ｓに続く番号はステップ番号を示す。
【００７８】
［Ｓ３０１］利用者は、入力装置（端末など）から登録キーワード変換表の操作指示を行う。
【００７９】
［Ｓ３０２］参照指示であれば利用者制御部は検索制御部を呼び出し、ステップＳ３０５へ進み、それ以外はステップＳ３０３へ進む。
【００８０】
［Ｓ３０３］更新指示であれば利用者制御部は登録制御部を呼び出し、ステップＳ３１０へ進み、それ以外はステップＳ３０４へ進む。
【００８１】
［Ｓ３０４］エラーメッセージを出力し、ステップＳ３０２へ進む。
【００８２】
［Ｓ３０５］検索制御部は、入力装置（端末など）から参照（検索）するためのキーワード（参照キーワード）を受け取る。
【００８３】
［Ｓ３０６］参照終了指示であれば、参照処理を終了する。それ以外は、ステップＳ３０７へ進む。
【００８４】
［Ｓ３０７］参照（検索）キーワードが入力されたらステップ３０９へ進み、それ以外は、ステップＳ３０８へ進む。
【００８５】
［Ｓ３０８］登録キーワード変換表に登録されている全キーワードを出力装置（端末など）に出力し、ステップ１０２へ進む。
【００８６】
［Ｓ３０９］指定された参照（検索）キーワードに一致する、登録キーワード変換表の内容（上下レベルの登録キーワードも含む）を出力し、ステップ１０２へ進む。
【００８７】
［Ｓ３１０］登録制御部は、入力装置（端末など）から更新キーワード（更新キーワード）を受け取る。
【００８８】
［Ｓ３１１］更新終了指示であれば、更新処理を終了する。それ以外は、ステップＳ３１２へ進む。
【００８９】
［Ｓ３１２］登録制御部は、文献データの変換情報をチェックする。
【００９０】
［Ｓ３１３］文献データは原文（登録依頼時の文献データのまま）ならステップＳ３１４ヘ進み、それ以外はステップＳ３１５へ進む。
【００９１】
［Ｓ３１４］文献データベースに登録されている文献データの登録キーワードを更新キーワードに変更（書き換え）し、ステップＳ３１０へ進む。
【００９２】
［Ｓ３１５］文献データベースに登録されている文献データの変換情報を更新キーワードに変更（書き換え）し、ステップＳ３１０へ進む。
【図面の簡単な説明】
【００９３】
【図１】本発明の、情報検索システムの原理構成図である。
【図２】本発明の、情報検索システムの具体的な構成例を示す図である。
【図３】登録キーワード変換表の一例を示す図である。
【図４】変換情報部の一例を示す図である。
【図５】登録処理手順を示すフローチャートである。
【図６】検索処理手順を示すフローチャートである。
【図７】抽出処理手順を示すフローチャートである。
【図８】登録キーワード変換表の参照及び更新処理手順を示すフローチャートである。
【図９】従来の情報の検索方式の一例を示す図である。
【符号の説明】
【００９４】
１０１、１０２、１０３  計算機
１１、１２        登録キーワード変換表
２１、２２        変換制御部
２５、２６        復元制御部
３１、３２        登録制御部
３５、３６、３７  検索制御部
３８              類似語表
４２              利用者制御部
４３              通信制御部
５１、５２、５３  登録データ部
６１、６２        変換情報部
７１、７２、７３  登録キーワード部
８１、８２、８３  文献データベース
１２１、１２２、１３１、１３２  端末
１２３、１３３    プリンタ
１２４、１３４    記憶装置
１４２、１４３    ネットワーク
【図１】
2007200352.tif 000003
【図２】
2007200352.tif 000004
【図３】
2007200352.tif 000005
【図４】
2007200352.tif 000006
【図５】
2007200352.tif 000007
【図６】
2007200352.tif 000008
【図７】
2007200352.tif 000009
【図８】
2007200352.tif 000010
【図９】
2007200352.tif 000011